(57)【要約】【課題】建築材料同士を建築現場に合わせて、任意の位置で容易に固定することができる建築用係止具を提供する。【解決手段】一端に鈎状とした係止突起を有し、他端に前記一端を回動自在とする支点を有する引掛け部と、引掛け部の支点が係合され、支点に対して回動するカム状外形部と、カム状外形部より延設された延設部とを有した回動レバー部と、からなる建築用係止具であって、係止突起を第一の部材に係止し、回動レバー部のカム形状部を、係止突起とカム状外形部との間に配置された第二の部材に当接させ、回動レバー部がカム状外形部と第二の部材との当接点を摺動させながら回動し、支点と係止突起との距離が最長となる位置を越えた後、延設部が第一の部材又は第二の部材に当接し、引掛け部の弾性力により、第一の部材と第二の部材とを圧接固定することを特徴とした建築用係止具。【選択図】図１
2010168763.tif 000002
【特許請求の範囲】
【請求項１】
一端に鈎状とした係止突起を有し、他端に前記一端を回動自在とする支点を有する引掛け部と、
前記引掛け部の支点が係合され、前記支点に対して回動するカム状外形部と、前記カム状外形部より延設された延設部とを有した回動レバー部と、からなる建築用係止具であって、
前記係止突起を第一の部材に係止し、前記回動レバー部の前記カム形状部を、前記係止突起と前記カム状外形部との間に配置された第二の部材に当接させ、前記回動レバー部が前記カム状外形部と前記第二の部材との当接点を摺動させながら回動し、前記支点と前記係止突起との距離が最長となる位置を越えた後、前記延設部が前記第一の部材又は前記第二の部材に当接し、前記引掛け部の弾性力により、前記第一の部材と前記第二の部材とを圧接固定することを特徴とした建築用係止具。
【発明の詳細な説明】
【技術分野】
【０００１】
本発明は、建築用材料同士を任意の位置で固定する際に使用される建築用係止具係止具に関する。
【背景技術】
【０００２】
係止具に関しては、従来、様々な形状、構造のものが提案されているが、本発明に関連するものとして、例えば、図４に示すような実用新案公報１記載の「引掛け留め金具」などがある。図４に示す引掛け留め金具部品９は、回動軸を固定して、引掛け留め金具部品９を、支点を中心として回動することで、容器本体に蓋をして、容器本体を密封に保つ構造である。
【０００３】
また、建築用材料同士を係止する部材としては、図５の３０に示すようなねじで固定する固定具によるものが従来、知られている。この固定具３０は固定具本体３０ａとねじ部３０ｂを備えている。図５では建築材料の棒材３２と棒材３３を圧接している。固定具本体３０ａは略コの字形状をしており、係止突起を有した引掛け部（図示せず）と雌ねじ部を備えており、ねじ部３０ｂは雌ネジに螺合する雄ねじ部とつまみ部を備えている。図５では、固定具本体３０ａのコの字部内に棒材３３を収納した状態で、引掛け部の係止突起を棒材３２に引掛けられている。つまみを回すことにより、上方よりねじ部３０ｂで棒材３３を押さえ、棒材３２と棒材３３を圧接するようになっている。
【先行技術文献】
【特許文献】
【０００４】
【特許文献１】実用新案登録第３１４５３８５
【発明の概要】
【発明が解決しようとする課題】
【０００５】
実用新案公報１では、図４に示すように、蓋の直径上の外側２ヶ所に引掛け部分を有した引掛け留め金具を装備させて、この引掛け部分に、引掛け留め金具部品の一部を引掛けて、引掛け留め金具部品を回動し引っ張り力を利用して、容器本体に蓋部で蓋をしており、引掛け留め金具部品の回動の支点は、容器本体に固定されている。しかしながら、建築現場で、建築材料同士を固定する場合、それらの固定位置は建築現場において固定作業を行いながら決めていくため、実用新案公報１での引掛け留め金具のように、どちらか一方の固定部材に対して、支点を予め固定、つまり係止具を予め固定しておくことができないのが実状である。そのため、建築材料同士を固定する係止具としては、建築現場に合わして任意の位置で容易に固定できる建築用係止具が必要である。
【０００６】
また、上記を鑑みて図５のような係止具が従来、知られているが、図５のようなねじを用いた固定具ではその固定時間が多くかかり、またつまみを手で締めこむ場合は、十分な強度で固定できない可能性や、手を怪我する危険性がある。
【０００７】
本発明の解決しようとする課題は、建築材料同士を建築現場の状況に合わせて、任意の位置で容易に強固な固定をすることができる建築用係止具を提供することにある。
【課題を解決するための手段】
【０００８】
本発明の建築用係止具は、一端に鈎状とした係止突起を有し、他端に前記一端を回動自在とする支点を有する引掛け部と、前記引掛け部の支点が係合され前記支点に対して回動するカム状外形部と、前記カム状外形部より延設された延設部とを有した回動レバー部と、からなる建築用係止具であって、前記係止突起を第一の部材に係止し、前記回動レバー部の前記カム形状部を、前記係止突起と前記カム状外形部との間に配置された第二の部材に当接させ、前記回動レバー部が前記カム状外形部と前記第二の部材との当接点を摺動させながら回動し、前記支点と前記係止突起との距離が最長となる位置を越えた後、前記延設部が前記第一の部材又は前記第二の部材に当接し、前記引掛け部の弾性力により、前記第一の部材と前記第二の部材とを圧接固定することを特徴とする。
【０００９】
このような構成とすることで、建築用係止具の係止突起を第一の部材に係止させて、係止突起と前記カム状外形部との間に第二の部材を配置し、第一の部材と第二の部材の固定位置が決まったら、カム状外形部と第二の部材との当接点を摺動させながら、支点と係止突起との距離が最長となる位置を越えた後、前記延設部が前記第一の部材又は前記第二の部材に当接するまで回動レバー部を回転させることで、引掛け部の弾性力により第一の部材と第二の部材を圧接固定することができるので、第一の部材と第二の部材、つまり、建築材料同士を建築現場の状況に合わせて、任意の位置で容易に強固な固定をすることができる  さらに、このような建築用係止具の構成により、第一の部材と第二の部材には建築用係止具を固定するための特別な形状の部位を必要としないため、より建築現場の状況に合わして任意の位置で容易に、建築用部材同士を固定することができる。
【００１０】
ここでいう第一の部材、第二の部材としては、一方は柱や天井材（特に野縁など）、また他方はスプリンクラー設備、照明設備、空調設備や給排水管設備などが挙げられる。
【発明の効果】
【００１１】
本発明により、建築材料同士を建築現場に合わして、任意の位置で容易に固定することができる建築用係止具を提供することができる。
【図面の簡単な説明】
【００１２】
【図１】本発明の実施の形態である係止具を示す斜視図である。
【図２】本発明の実施の形態である係止具に、第一の部材と第二の部材が固定された状態を示す斜視図
【図３】本発明の実施の形態である係止具により第一の部材と第二の部材が配置された状態を示す斜視図
【図４】従来の係止具により固定された状態を示す正面図である。
【図５】従来の係止具により固定された状態を示す斜視図である。
【発明を実施するための形態】
【００１３】
以下、本発明の実施の形態について説明する。図１は本発明に係る係止具の一例を示す斜視図である。
【００１４】
図１に示すようにレバー式の係止具１は、回動する支点である回動軸１ｃを中心に互いに回動可能に取り付けられた回動レバー部１ａと、引掛け部１ｂとを有している。回動レバー部１ａは一枚の金属板からなり、断面略コ字形状になっており。、延設部１２とカム状外形部１１とからなっている。回動レバー部１ａは回動軸１ｃに沿った視線において細長い略直角三角形状をしており、直角頂点部近傍に回動軸１ｃ、鋭角頂点部には力点部１ｇ、鈍角頂点部には円弧形をしている円弧形状部１ｋを備えている。この円弧形状部１ｋの一端から直角頂点部までは直線部１ｅにて繋がっている。また円弧形状部１ｋの他端には、前述の直線部１ｅと平行に直線部１ｍが滑らかに繋がっている。この回動軸１ｃと円弧形状部１ｋと直線部１ｅと直線部１ｍにより、回動レバー部１ａのカム状外形部１１が構成されており、このカム状外形部１１から力点部１ｇに延設された箇所が延設部１２を構成している。  
【００１５】
引掛け部１ｂは、折り曲げられた棒材からなり、回動軸１ｃ一方の側から下側に延びる第一の側部１ｉと回動軸１ｃの他方の側から下側に延びる第二の側部１ｊと第一の側部の端部と第二の側部の端部とをほぼ横方向に連結する係止突起であるループ部１ｆとを有しており、回動軸１ｃに沿った視線において略鈎状をしている。このため係止具１は、回動レバー部１ａ、第一の側部１ｉ、第二の側部１ｊおよびループ部１ｆによって囲まれる開口１ｎを備えている。
【００１６】
つぎに図２及び図３を用いて本発明の係止具１の使用例について説明する。図２ａは係止具１を用いて建築用部材である、野縁２（第一の部材）と角バー３（第二の部材）を固定した状態の斜視図であり、図２ｂはその状態での断面図、図３は係止具１がまだ開放状態であり野縁２と角バー３を固定する位置を仮決めした状態の斜視図である。
【００１７】
図３において、野縁２は断面コ字形状をした金属製の部材であり、底面部２ａとその両端部から立ち上げられる２つの側面部２ｂ、側面部２ｂの上端部に上面部２ｃと、上面部２ｃの内側端部に折り返し部２ｄと、が設けられている。この野縁２の底面には天井板４が下方からねじ止めされている（図示せず）。角バー３は、野縁２に固定される部材であり、この角バー３には、天井裏に設置したい様々なものを予め固定しておくことが可能である。例えばスプリンクラーなどがあるが、その部分についての説明は省略する。以下係止具１により野縁２と角バー３とを固定する手順に沿って説明する。
【００１８】
まず、係止具１の係止突起であるループ部１ｆを野縁２の上面部２ｃの下面に引っ掛ける。次に係止具１の空間１ｎに角バー３を挿入し、固定したい位置で上面部２ｃの上面に置く。このとき、係止具１の回転レバー部１ａは角バー３に接触していない。この状態が図３である。
そして回転レバー部１ａを回動軸１ｃを軸として、Ｐ視で時計回り方向に回動させる。この回動に伴い、回転レバー部１ａのカム状外形部１１を構成する円弧形状部１ｋが角バー３に接近し、当接する。
当接後、更に回動させると、回転レバー部１ａと角バー３との当接点が摺動し、さらに移動していく。この際、回転レバー部１ａの当接点は円弧形状部１ｋ上を直線部１ｅから遠ざかる方向に移動する。そして、支点である回転軸１ｃと係止突起であるループ部１ｆとの距離が最長となる位置を越えた後、回動レバー部１ａの延設部１２を構成する力点部１ｇが角バー３に当接することによりこの回転は止まる。この状態が図２ａ、ｂである。
【００１９】
次にこの回動に伴う、野縁２と角バー３への圧接力について説明する。回動前は前述のように回転レバー部１ａは角バー３に当接しておらず、圧接力は作用しない。回動に伴い、円弧形状部１ｋが角バー３に当接した時点で圧接力が発生しする。これは引掛け部１ｂの弾性力によるものである。また回動角が大きくなるに従い圧接力も大きくなっていくが、これは回転レバー部１ａの形状、特にカム状外形部１１の形状に起因する。
【００２０】
円弧形状部１ｋの円弧上の各点と回動軸１ｃとの距離は同一ではなく、角バー３との当接点が最初の位置から回動するに伴い、途中までは距離が長くなっていく。そして当接点が円弧形状部１ｋ上の回動軸１ｃとの距離が最長の点を過ぎると、その後は小さくなっていく。力点部１ｇが角バー３と当接するのは、上記最長の点を過ぎた後である。
この距離の変化に伴い、係止具１の第一の側面１ｉと第二の側面１ｊが変形する。距離の変化が大きくなるにつれて、この変形が大きくなる。
【００２１】
この変形により形状を復元しようとする弾性力が発生する。この弾性力の方向は、ループ部１ｆと回動軸１ｃとを結ぶ直線（以下弾性力線と記述）方向になるため、前述の圧接力になるのである。
【００２２】
図２ｂにおいて、回動レバー部１ａと角バー３との当接点は円弧形状１ｋと力点部１ｇの２点である。この状態において野縁２を下方からループ部１ｆで、上方から角バー３を前記当接点２点により接しており、引っ掛け部１ｂの弾性力により野縁２と角バー３とを圧接している。またそれと同時に回転レバー部１ａには、引掛け部１ｂの弾性力により回動軸１ｃとループ部１ｆとを結ぶ直線方向の力がかかっているが、それに垂直な方向の力はほとんどかかっていない。この理由は、回転レバー部１ａを回動させる際に、回転レバー部１ａと角バー３の当接点が摺動することに起因する。
【００２３】
前述のように回動レバー部１ａの回動に伴い、弾性力線方向に力が発生するが、仮に当接点の摺動が無ければ、角バー３当接面の法線３ａと弾性力線の方向がずれていくことになる。これにより法線３ａに対して垂直方向の力が発生し、摺動していくという関係になる。この摺動により、前記直線と垂直方向の力が弱くなるのである。
【００２４】
このように図３に示したような係止具１を開放した状態から図２に示したような係止具１を閉止した状態へはレバー部１ａを回動させることにより脚部１ｄが角バー３上で摺動し、最長部を乗り越えることにより容易に遷移させることができる。
【００２５】
また、図２に示すような係止具１の閉止状態においては、係止具１の力点部１ｇが角バー３に接することによりレバー部１ａは突起１ｄの支点１ｃからの最長部を若干越えた位置で止まることにより、レバー部１ａが過剰な回動をしてしまうことによる固定力の低下を防止でき、最適な固定力を発揮させることができ、かつ、野縁２と角バー３を引き離す方向に外力がかかった場合もレバー部１ａは係止具１の開放方向に回転してしまうことがないため信頼性の高い固定力を発揮することができる。
【００２６】
また、以上の構成において、円弧形状部材１ｋと回動軸１ｃとの距離および引掛け部１ｂの弾性を適宜調整することにより固定力の調整が可能になり、回動軸１ｃから力点１ｇまでの寸法を調整することにより係止具１を開放した状態から閉止した状態へ遷移させるための操作力を調整することができる。したがって、被固定対象の形状・使用目的に応じた係止具を用意することにより簡易で確実な固定力を発揮できる係止具１が提供可能である。
【００２７】
なお、本実施の形態では、係止具１の材質として、金属を用いているが、それに限定されるものではなく、樹脂材料などを使用しても問題はない。
【００２８】
また本実施の形態では、回動レバー部１ａの力点部１ｇが角バー３に当接するが、当接するものが角バー３という第二の部材に限定されるものではなく、第一の部材に当接するように構成しても良い。例えば本実施の形態のうち、第二の部材が角バー３０ではなく薄い板形状で長さが短い場合、円弧形状部１ｋとの当接点近傍までで、力点部１ｇ付近まで到達しないことが考えられるが、そのときは力点部１ｇは第一の部材である野縁２に当接する。このときも第一の部材と第二の部材を圧接することができ、特許請求の範囲に含まれる。
【産業上の利用可能性】
【００２９】
本発明の建築用係止具は、建築用材料同士を固定する際に使用される建築用係止具などにおいて広く利用することができる。
【符号の説明】
【００３０】
１  建築用係止具
１ａ  回動レバー部
１ｂ  引掛け部
１ｃ  回動軸
１ｅ  直線部
１ｆ  ループ部（係止突起）
１ｇ  力点部
１ｉ  第一の側面部
１ｊ  第二の側面部
１ｋ  円弧形状部
１ｍ  直線部
１ｎ  開口部
２  野縁（第一の部材）
３  角バー（第二の部材）
４  天井板
１１  カム状外形部
１２  延設部
【図１】
2010168763.tif 000003
【図２】
2010168763.tif 000004
【図３】
2010168763.tif 000005
【図４】
2010168763.tif 000006
【図５】
2010168763.tif 000007